(57)【要約】【課題】本発明は、液晶パネルのグレースケール値の設定方法を提供する。【解決手段】液晶パネルにおける各画素単位は面積比がａ：ｂであるメイン画素領域Ｍとサブ画素領域Ｓからなる。前記設定方法は以下の手順からなる。液晶パネルの正視角度と斜視角度における各グレースケールの実質輝度を取得する。メイン画素領域Ｍとサブ画素領域Ｓの面積比に基づいて実質輝度を分け、メイン画素領域Ｍとサブ画素領域Ｓにおけるグレースケールと実質輝度の対応関係を構築する。各グレースケールの理論輝度を計算する。メイン画素領域Ｍとサブ画素領域Ｓを組み合わせたグレースケールに入力するよう設定し、画素単位の正視角と斜視角における実質輝度と理論輝度の差の和を最小にし、各グレースケールにその手順を繰り返し行うことによって、液晶パネルの全てのグレースケールにおいてメイン画素領域Ｍとサブ画素領域Ｓにそれぞれ入力したグレースケールを得ることができる。本発明は上述の方法でグレースケール値を設定した液晶ディスプレイをも提供する。【選択図】図３
2017530392.tif 000002
【特許請求の範囲】
【請求項１】
液晶パネルのグレースケール値の設定方法であって、前記液晶パネルは複数の画素単位からなり、各画素単位はメイン画素領域Ｍとサブ画素領域Ｓからなり、前記メイン画素領域Ｍとサブ画素領域Ｓの面積比はａ：ｂであり、そのうち前記設定方法は、
前記液晶パネルの正視角度αにおける各グレースケールＧの実質輝度Ｌｖαを取得する手順Ｓ１０１と、
前記液晶パネルの斜視角度βにおける各グレースケールＧの実質輝度Ｌｖβを取得する手順Ｓ１０２と、
前記メイン画素領域Ｍとサブ画素領域Ｓの面積比に基づいて、実質輝度ＬｖαとＬｖβを以下の関係式によって分け、
【数１０】
2017530392.tif 000012
であり、
前記メイン画素領域Ｍの正視角度αと斜視角度βにおける各グレースケールＧの実質輝度ＬｖＭαとＬｖＭβをそれぞれ取得し、前記サブ画素領域Ｓの正視角度αと斜視角度βにおける各グレースケールＧの実質輝度ＬｖＳαとＬｖＳβをそれぞれ取得する手順Ｓ１０３と、
手順Ｓ１０１とＳ１０２が取得した最高グレースケールｍａｘの実質輝度Ｌｖα(max)とＬｖβ(max)、公式gamma(γ)＝2.2及び
【数１１】
2017530392.tif 000013
に基づいて、前記液晶パネルの正視角度αと斜視角度βにおける各グレースケールＧの理論輝度ＬｖＧαとＬｖＧβを算出する手順Ｓ１０４と、
画素単位のうちの一つのグレースケールＧｘに関し、仮にメイン画素領域Ｍとサブ画素領域ＳのグレースケールをそれぞれＧｍｘとＧｓｘと入力すると、手順Ｓ１０３の結果に基づいて、実質輝度ＬｖＭｘα、ＬｖＭｘβ、ＬｖＳｘα、ＬｖＳｘβを取得し、手順Ｓ１０４の結果に基づいて、理論輝度ＬｖＧｘαとＬｖＧｘβを取得し、以下の関係式を計算し、
【数１２】
2017530392.tif 000014
であり、
ｙが最小値を取得する時に対応するグレースケールＧｍｘとＧｓｘは、画素単位がグレースケールＧｘの時にそれぞれメイン画素領域Ｍとサブ画素領域Ｓに入力されたグレースケールに設定される手順Ｓ１０５と、
画素単位の各グレースケールＧに関し、手順Ｓ１０５を繰り返し、前記液晶パネルの前記グレースケールにおいてメイン画素領域Ｍとサブ画素領域Ｓにそれぞれ入力されたグレースケールを取得する手順Ｓ１０６と、からなることを特徴とする、液晶パネルのグレースケール値の設定方法。
【請求項２】
前記正視角度αは０°であり、前記斜視角度βは３０〜８０°であることを特徴とする、請求項１に記載の液晶パネルのグレースケール値の設定方法。
【請求項３】
前記斜視角度βは６０°であることを特徴とする、請求項２に記載の液晶パネルのグレースケール値の設定方法。
【請求項４】
前記液晶パネルのグレースケールは、０から２５５までの２５６個のグレースケールを備え、そのうち、最高グレースケールｍａｘは２５５グレースケールであることを特徴とする、請求項１に記載の液晶パネルのグレースケール値の設定方法。
【請求項５】
前記液晶パネルの正視角度αにおける各グレースケールＧの実質輝度Ｌｖαを取得する手順は、
前記液晶パネルの正視角度αにおけるgamma曲線を取得するプロセスと、
前記gamma曲線に基づいて前記実質輝度Ｌｖαを確定するプロセス、とからなることを特徴とする、請求項１に記載の液晶パネルのグレースケール値の設定方法。
【請求項６】
前記液晶パネルの斜視角度βにおける各グレースケールＧの実質輝度Ｌｖβを取得する手順は、
前記液晶パネルの斜視角度βにおけるgamma曲線を取得するプロセスと、前記gamma曲線に基づいて前記実質輝度Ｌｖβを確定するプロセス、とからなることを特徴とする、請求項１に記載の液晶パネルのグレースケール値の設定方法。
【請求項７】
手順Ｓ１０６を終えた後、メイン画素領域Ｍのグレースケールと輝度の関係を示すＧｍ−Ｌｖ曲線及びサブ画素領域Ｓとグレースケールの関係を示すＧｓ−Ｌｖ曲線を取得し、前記Ｇｍ−Ｌｖ曲線とＧｓ−Ｌｖ曲線に現れる特異点は回帰スムージング法で処理することを特徴とする、請求項１に記載の液晶パネルのグレースケール値の設定方法。
【請求項８】
手順Ｓ１０６を終えた後、メイン画素領域Ｍのグレースケールと輝度の関係を示すＧｍ−Ｌｖ曲線及びサブ画素領域Ｓとグレースケールの関係を示すＧｓ−Ｌｖ曲線を取得し、前記Ｇｍ−Ｌｖ曲線とＧｓ−Ｌｖ曲線に現れる特異点をべき関数によって処理することを特徴とする、請求項１に記載の液晶パネルのグレースケール値の設定方法。
【請求項９】
前記べき関数の表現式は、ｆ＝ｍ＊ｘ＾ｎ＋ｋであることを特徴とする、請求項８に記載の液晶パネルのグレースケール値の設定方法。
【請求項１０】
向かい合わせに設置されたバックライトモジュールと液晶パネルからなる液晶ディスプレイであって、
前記バックライトモジュールが液晶パネルに光源を提供することによって前記液晶パネルが映像を表示し、
前記液晶パネルは、複数の画素単位を備え、各画素単位はメイン画素領域Ｍとサブ画素領域Ｓを備え、前記メイン画素領域Ｍとサブ画素領域Ｓの面積比はａ：ｂであり、そのうち、前記液晶パネルのグレースケールの設定方法は、
前記液晶パネルの正視角度αにおける各グレースケールＧの実質輝度Ｌｖαを取得する手順Ｓ１０１と、
前記液晶パネルの斜視角度βにおける各グレースケールＧの実質輝度Ｌｖβを取得する手順Ｓ１０２と、
前記メイン画素領域Ｍとサブ画素領域Ｓの面積比に基づいて、実質輝度ＬｖαとＬｖβを以下の関係式によって分け、
【数１３】
2017530392.tif 000015
であり、
前記メイン画素領域Ｍの正視角度αと斜視角度βにおける各グレースケールＧの実質輝度ＬｖＭαとＬｖＭβをそれぞれ取得し、前記サブ画素領域Ｓの正視角度αと斜視角度βにおける各グレースケールＧの実質輝度ＬｖＳαとＬｖＳβをそれぞれ取得する手順Ｓ１０３と、
手順Ｓ１０１とＳ１０２が取得した最高グレースケールｍａｘの実質輝度Ｌｖα(max)とＬｖβ(max)、公式gamma(γ)＝2.2及び
【数１４】
2017530392.tif 000016
に基づいて、前記液晶パネルの正視角度αと斜視角度βにおける各グレースケールＧの理論輝度ＬｖＧαとＬｖＧβを算出する手順Ｓ１０４と、
画素単位のうちの一つのグレースケールＧｘに関し、仮にメイン画素領域Ｍとサブ画素領域ＳのグレースケールをそれぞれＧｍｘとＧｓｘと入力すると、手順Ｓ１０３の結果に基づいて、実質輝度ＬｖＭｘα、ＬｖＭｘβ、ＬｖＳｘα、ＬｖＳｘβを取得し、手順Ｓ１０４の結果に基づいて、理論輝度ＬｖＧｘαとＬｖＧｘβを取得し、以下の関係式を計算し、
【数１５】
2017530392.tif 000017
であり、
ｙが最小値を取得する時に対応するグレースケールＧｍｘとＧｓｘは、画素単位がグレースケールＧｘの時にそれぞれメイン画素領域Ｍとサブ画素領域Ｓに入力されたグレースケールに設定される手順Ｓ１０５と、
画素単位の各グレースケールＧに関し、手順Ｓ１０５を繰り返し、前記液晶パネルの前記グレースケールにおいてメイン画素領域Ｍとサブ画素領域Ｓにそれぞれ入力されたグレースケールを取得する手順Ｓ１０６と、からなることを特徴とする、液晶ディスプレイ。
【請求項１１】
前記正視角度αは０°であり、前記斜視角度βは３０〜８０°であることを特徴とする、請求項１０に記載の液晶ディスプレイ。
【請求項１２】
前記斜視角度βは６０°であることを特徴とする、請求項１１に記載の液晶ディスプレイ。
【請求項１３】
前記液晶パネルのグレースケールは、０から２５５までの２５６個のグレースケールを備え、そのうち、最高グレースケールｍａｘは２５５グレースケールであることを特徴とする、請求項１０に記載の液晶ディスプレイ。
【請求項１４】
前記液晶パネルの正視角度αにおける各グレースケールＧの実質輝度Ｌｖαを取得する手順は、
前記液晶パネルの正視角度αにおけるgamma曲線を取得するプロセスと、
前記gamma曲線に基づいて前記実質輝度Ｌｖαを確定するプロセス、とからなることを特徴とする、請求項１０に記載の液晶ディスプレイ。
【請求項１５】
前記液晶パネルの斜視角度βにおける各グレースケールＧの実質輝度Ｌｖβを取得する手順は、
前記液晶パネルの斜視角度βにおけるgamma曲線を取得するプロセスと、
前記gamma曲線に基づいて前記実質輝度Ｌｖβを確定するプロセス、とからなることを特徴とする、請求項１０に記載の液晶ディスプレイ。
【請求項１６】
手順Ｓ１０６を終えた後、メイン画素領域Ｍのグレースケールと輝度の関係を示すＧｍ−Ｌｖ曲線及びサブ画素領域Ｓとグレースケールの関係を示すＧｓ−Ｌｖ曲線を取得し、前記Ｇｍ−Ｌｖ曲線とＧｓ−Ｌｖ曲線に現れる特異点は回帰スムージング法で処理することを特徴とする、請求項１０に記載の液晶ディスプレイ。
【請求項１７】
手順Ｓ１０６を終えた後、メイン画素領域Ｍのグレースケールと輝度の関係を示すＧｍ−Ｌｖ曲線及びサブ画素領域Ｓとグレースケールの関係を示すＧｓ−Ｌｖ曲線を取得し、前記Ｇｍ−Ｌｖ曲線とＧｓ−Ｌｖ曲線に現れる特異点をべき関数によって処理することを特徴とする、請求項１０に記載の液晶ディスプレイ。
【請求項１８】
前記べき関数の表現式は、ｆ＝ｍ＊ｘ＾ｎ＋ｋであることを特徴とする、請求項１７に記載の液晶ディスプレイ。
【発明の詳細な説明】
【技術分野】
【０００１】
本発明は、液晶ディスプレイの技術分野に関し、特に、液晶パネルのグレースケール値の設定方法及び前記の方法でグレースケール値を設定した液晶ディスプレイに関する。
【背景技術】
【０００２】
液晶ディスプレイまたはＬＣＤ（Ｌｉｑｕｉｄ  Ｃｒｙｓｔａｌ  Ｄｉｓｐｌａｙ）は、平らで非常に薄い表示装置であり、一定の数のカラーまたは白黒の画素で構成されており、光源または反射板の前に設置される。液晶ディスプレイは、消費電力が低いとともに、高画質であり、嵩張らず、軽いといった特徴を備えるため人気があり、ディスプレイの主流になっている。液晶ディスプレイは、表示スクリーンを備える計算機装置、携帯電話、デジタルフォトフレーム等、各種電気製品の中で広く使用されており、広視野角技術は、現在液晶ディスプレイの発展の鍵を握る技術の一つである。しかしながら、横から見るまたは斜めに見るなど視覚が大き過ぎると、広視野角液晶ディスプレイは色ずれ現象（ｃｏｌｏｒ  ｓｈｉｆｔ）を引き起こすことが多い。
【０００３】
広視野角液晶ディスプレイが色ずれ現象を引き起こす問題について、現在業界では２Ｄ１Ｇ技術の出現によって改善が図られている。いわゆる２Ｄ１Ｇ技術とは、液晶パネル中の各画素単位（ｐｉｘｅｌ）を面積が一様ではないメイン画素領域（Ｍａｉｎ  ｐｉｘｅｌ）とサブ画素領域（Ｓｕｂ  ｐｉｘｅｌ）に分け、等しい画素単位におけるメイン画素領域とサブ画素領域を、異なるデータライン（Ｄａｔａ  ｌｉｎｅ）と同じゲートライン（Ｇａｔｅ  ｌｉｎｅ）に接続したものである。メイン画素領域とサブ画素領域に異なるデータ信号（異なるグレースケール値）を入力することによって、異なる表示輝度と斜視輝度が得られ、横または斜めに見た際に起こる色ずれの問題が少なくなる。画素単位のグレースケール値に関し、メイン画素領域とサブ画素領域それぞれのグレースケール値の設定の仕方次第で、メイン画素領域とサブ画素領域のグレースケール値の組み合わせが色ずれの問題を少なくできると同時に、好ましい表示効果を達成することができるため、この問題は解決が必要とされている。
【発明の概要】
【発明が解決しようとする課題】
【０００４】
従って、本発明は、２Ｄ１Ｇ技術によってメイン画素領域とサブ画素領域のグレースケール値の設定問題を解決することのできる、液晶パネルのグレースケール値の設定方法を提供することを目的とする。
【課題を解決するための手段】
【０００５】
上述の目的を達成するために、本発明は以下の技術案を採用する。
【０００６】
液晶パネルのグレースケール値の設定方法であり、前記液晶パネルは複数の画素単位からなり、各画素単位はメイン画素領域Ｍとサブ画素領域Ｓからなり、前記メイン画素領域Ｍとサブ画素領域Ｓの面積比はａ：ｂである。そのうち、前記設定方法は以下の手順からなる。
【０００７】
手順Ｓ１０１は、前記液晶パネルの正視角αにおける各グレースケールＧの実質輝度Ｌｖαを取得する。
【０００８】
手順Ｓ１０２は、前記液晶パネルの斜視角βにおける各グレースケールＧの実質輝度Ｌｖβを取得する。
【０００９】
手順Ｓ１０３は、前記メイン画素領域Ｍとサブ画素領域Ｓの面積比に基づいて、実質輝度ＬｖαとＬｖβを以下の関係式によって分ける。
【００１０】
【数１】
2017530392.tif 000003
である。
【００１１】
前記メイン画素領域Ｍの正視角αと斜視角βにおける各グレースケールＧの実質輝度ＬｖＭαとＬｖＭβをそれぞれ取得する。前記サブ画素領域Ｓの正視角αと斜視角βにおける各グレースケールＧの実質輝度ＬｖＳαとＬｖＳβをそれぞれ取得する。
【００１２】
手順Ｓ１０４は、手順Ｓ１０１とＳ１０２が取得した最高グレースケールｍａｘの実質輝度Ｌｖα(max)とLvβ(max)と、gamma（γ）＝2.2および
【００１３】
【数２】
2017530392.tif 000004
の式に基づいて、前記液晶パネルの正視角αと斜視角βにおける各グレースケールＧの理論輝度ＬｖＧαとＬｖＧβを算出する。
【００１４】
手順Ｓ１０５は、画素単位のうちの一つのグレースケールＧｘに関し、仮にメイン画素領域Ｍとサブ画素領域ＳのグレースケールをそれぞれＧｍｘとＧｓｘと入力すると、手順Ｓ１０３の結果に基づいて、実質輝度ＬｖＭｘα、ＬｖＭｘβ、ＬｖＳｘα、ＬｖＳｘβを取得し、手順Ｓ１０４の結果に基づいて、理論輝度ＬｖＧｘαとＬｖＧｘβを取得する。以下の関係式を計算する。
【００１５】
【数３】
2017530392.tif 000005
である。
【００１６】
ｙが最小値を取得する時に対応するグレースケールＧｍｘとＧｓｘは、画素単位がグレースケールＧｘの時にそれぞれメイン画素領域Ｍとサブ画素領域Ｓに入力されたグレースケールに設定される。
【００１７】
手順Ｓ１０６は、画素単位の各グレースケールに対して、手順１０５を繰り返し、前記液晶パネルの全てのグレースケールにおいてメイン画素領域Ｍとサブ画素領域Ｓにそれぞれ入力されたグレースケールを取得する。
【００１８】
そのうち、前記正視角αは０°であり、前記斜視角βは３０〜８０°である。
【００１９】
そのうち、前記斜視角βは６０°である。
【００２０】
そのうち、前記液晶パネルのグレースケールは、０から２５５までの２５６個のグレースケールを備え、そのうち、最高グレースケールｍａｘは２５５グレースケールである。
【００２１】
そのうち、前記液晶パネルの正視角αにおける各グレースケールＧの実質輝度Ｌｖαを取得する手順は以下の通りである。
【００２２】
前記液晶パネルの正視角αにおけるgamma曲線を取得する。
【００２３】
前記gamma曲線に基づいて、前記実質輝度Ｌｖαを確定する。
【００２４】
そのうち、前記液晶パネルの斜視角βにおける各グレースケールＧの実質輝度Ｌｖβを取得する手順は以下の通りである。
【００２５】
前記液晶パネルの斜視角βにおけるgamma曲線を取得する。
【００２６】
前記gamma曲線に基づいて、前記実質輝度Ｌｖβを確定する。
【００２７】
そのうち、手順Ｓ１０６を終えた後、メイン画素領域Ｍのグレースケールと輝度の関係を示すＧｍ−Ｌｖ曲線及びサブ画素領域とグレースケールの関係を示すＧｓ−Ｌｖ曲線を取得し、そのうち、前記Ｇｍ−Ｌｖ曲線とＧｓ−Ｌｖ曲線に現れる特異点は回帰スムージング法を採用して処理する。
【００２８】
そのうち、手順Ｓ１０６を終えた後、メイン画素領域Ｍのグレースケールと輝度の関係を示すＧｍ−Ｌｖ曲線及びサブ画素領域とグレースケールの関係を示すＧｓ−Ｌｖ曲線を取得し、そのうち、前記Ｇｍ−Ｌｖ曲線とＧｓ−Ｌｖ曲線に現れる特異点はべき関数を採用して処理する。
【００２９】
そのうち、前記べき関数の表現式は、ｆ＝ｍ＊ｘ＾ｎ＋ｋである。
【００３０】
さらに、本発明は、向かい合わせに設置されたバックライトモジュールと液晶パネルからなる液晶ディスプレイを提供することを目的とする。前記バックライトモジュールが液晶パネルに光源を提供することによって、前記液晶パネルが映像を表示する。前記液晶パネルは、複数の画素単位を備え、各画素単位はメイン画素領域Ｍとサブ画素領域Ｓを備え、前記メイン画素領域Ｍとサブ画素領域Ｓの面積比はａ：ｂである。そのうち、前記液晶パネルは上述の方法でグレースケール値を設定する。
【発明の効果】
【００３１】
本発明が提供する液晶ディスプレイは、各画素単位を面積が一様ではないメイン画素領域とサブ画素領域に分け、メイン画素領域とサブ画素領域に異なるデータ信号（異なるグレースケール値）を入力することによって、異なる表示輝度と斜視輝度が得られ、横または斜めに見た際に起こる色ずれの問題を少なくすることができる。そのうち、本考案の実施例が提供するグレースケール値の設定方法に基づいて、メイン画素領域とサブ画素領域のグレースケールを設定することによって、メイン画素領域とサブ画素領域が正視角と斜視角において取得したgamma曲線はどれもgammaに近くなり、色ずれの問題を少なくすることができると同時に好ましい表示効果を得ることができ、正視角の表示効果に明らかな変化がない限り、広い視野角における光漏れや色ずれの問題を改善することができる。
【図面の簡単な説明】
【００３２】
【図１】本発明の実施例が提供する液晶ディスプレイの構造を示した図である。
【図２】本発明の実施例が提供する液晶パネルにおける画素単位の一部を示した図である。
【図３】本発明の実施例が提供するグレースケール値の設定方法のフローチャートである。
【図４】本発明の実施例が提供する液晶パネルにおけるグレースケール調整前のgamma曲線図である。
【図５】本発明の実施例が提供する液晶パネルにおけるグレースケール調整後のgamma曲線図である。
【図６】本発明の実施例におけるグレースケール調整後のグレースケールと輝度の関係曲線図である。
【図７】本発明の実施例が採用する方法１で図６の曲線図にスムージングした後の状態を示した図である。
【図８】本発明の実施例が採用する方法２で図６の曲線図に行ったスムージングの過程を示した図である。
【図９】本発明の実施例が採用する方法２で図６の曲線図に行ったスムージングの過程を示した図である。
【図１０】本発明の実施例が採用する方法２で図６の曲線図にスムージングした後の状態を示した図である。
【発明を実施するための形態】
【００３３】
本発明の技術の特徴と構造を更に詳しく説明するため、以下に実施例及び図を添えて詳細する。
【００３４】
図１は本実施例が提供する液晶ディスプレイの構造を示した図である。図２は本実施例が提供する液晶パネルにおける画素単位の一部を示した図である。図１と図２を参照する。本実施が提供する液晶ディスプレイは、向かい合わせに設置されたバックライトモジュール１及び液晶パネル２からなり、前記バックモジュール１は液晶パネル２に表示光源を提供することによって、液晶パネル２は映像を表示することができる。そのうち、前記液晶パネル２は複数の画素単位２０からなり、各画素単位２０はメイン画素領域（Ｍａｉｎ  ｐｉｘｅｌ）Ｍとサブ画素領域（Ｓｕｂ  ｐｉｘｅｌ）Ｓからなる。前記メイン画素領域Ｍとサブ画素領域Ｓの面積比はａ：ｂである。
【００３５】
図２において、等しい画素単位２０におけるメイン画素領域Ｍとサブ画素領域Ｓは、異なるデータラインＤｎ、Ｄｎ＋１と同じゲートラインＧｎに接続され、データラインＤｎ、Ｄｎ＋１は、メイン画素領域Ｍとサブ画素領域Ｓにそれぞれ異なるグレースケール値のデータ信号を提供することによって、またゲートラインＧｎは、メイン画素領域Ｍとサブ画素領域Ｓにゲート信号を提供することによって、等しい画素単位２０におけるメイン画素領域Ｍとサブ画素領域Ｓは、等しいゲート信号によって起動される。
【００３６】
上述の液晶ディスプレイにおいて、メイン画素領域とサブ画素領域に異なるデータ信号（異なるグレースケール値）を入力することによって、異なる液晶輝度と斜視輝度が得られ、横または斜めに見た際に起こる色ずれの問題を少なくすることができる。
【００３７】
上述の液晶ディスプレイを本実施例が提供するグレースケール値の設定方法で、主に、メイン画素領域Ｍとサブ画素領域Ｓのグレースケール値をそれぞれ設定する。  図３のフローチャートに示す通り、前記の設定方法は以下の手順からなる。
【００３８】
（ａ）、前記液晶パネルの正視角αにおける各グレースケールＧの実質輝度Ｌｖαを取得する。
【００３９】
（ｂ）、前記液晶パネルの斜視角βにおける各グレースケールＧの実質輝度Ｌｖβを取得する。
【００４０】
（ｃ）、前記メイン画素領域Ｍとサブ画素領域Ｓの面積比に基づいて、実質輝度ＬｖαとＬｖβに分け、メイン画素領域Ｍとサブ画素領域ＳにおけるグレースケールＧと実質輝度の対応関係を構築する。以下の関係式によって分ける。
【００４１】
【数４】
2017530392.tif 000006
である。
【００４２】
前記メイン画素領域Ｍの正視角αと斜視角βにおける各グレースケールＧの実質輝度ＬｖＭαとＬｖＭβをそれぞれ取得する。前記サブ画素領域Ｓの正視角αと斜視角βにおける各グレースケールＧの実質輝度ＬｖＳαとＬｖＳβをそれぞれ取得する。
【００４３】
（ｄ）、（ａ）と（ｂ）が取得した最高グレースケールの実質輝度に基づいて、各グレースケールの理論輝度を計算する。例えば、最高グレースケールｍａｘの実質輝度Ｌｖα(max)とＬｖβ(max)、公式gamma(γ)＝２．２及び
【００４４】
【数５】
2017530392.tif 000007
から、前記液晶パネルの正視角αと斜視角βにおける各グレースケールＧの理論輝度ＬｖＧαとＬｖＧβを算出する。
【００４５】
（ｅ）、ある画素単位のメイン画素領域Ｍとサブ画素領域Ｓを組み合わせたグレースケールに入力するよう設定することによって、前記画素単位の正視角と斜視角における実質輝度と理論輝度の差の和を最小にすることができる。具体的には、画素単位のうち一つのグレースケールＧｘに関して、メイン画素領域Ｍとサブ画素領域Ｓのグレースケールに入力して、ＧｍｘとＧｓｘに分けると、手順（ｃ）の結果に基づいて、実質輝度ＬｖＭｘα、ＬｖＭｘβ、ＬｖＳｘα、ＬｖＳｘβを得ることができ、手順（ｄ）の結果に基づいて、理論輝度ＬｖＧｘαとＬｖＧｘβを得ることができる。以下の関係式を計算する。
【００４６】
【数６】
2017530392.tif 000008
である。
【００４７】
ｙが最小値を取得する時に対応するグレースケールＧｍｘとＧｓｘは、画素単位がグレースケールＧｘの時それぞれメイン画素領域Ｍとサブ画素領域Ｓに入力されたグレースケールに設定される。
【００４８】
（ｆ）、画素単位の各グレースケールに関し、（ｅ）の手順を繰り返し行い、前記液晶パネルの前記グレースケールにおいてメイン画素領域Ｍとサブ画素領域Ｓにそれぞれ入力されたグレースケールを取得する。
【００４９】
本実施例において、正視角αは０°であり、斜視角βは６０°である。別の実施例において、斜視角βは３０〜８０°の範囲内で選ぶことができる。そのうち、正視角とは液晶ディスプレイの正視角方向であり、斜視角とは液晶ディスプレイに向かい合う正視方向に形成された角度である。
【００５０】
本実施例において、前記液晶パネルのグレースケールは、０から２５５までの２５６個のグレースケールを備え、そのうち、最高グレースケールｍａｘは２５５グレースケールである。
【００５１】
以下よりメイン画素領域Ｍとサブ画素領域Ｓはａ：ｂ＝２：１、正視角はα＝０°、斜視角はβ＝６０°を具体的な例とする。
【００５２】
まず、図４に示すように、液晶パネルの正視角０°と斜視角６０°におけるgamma曲線を取得する。前記gamma曲線に基づいて、正視角０°と斜視角６０°における各グレースケールＧ（０−２５５）の実質輝度Ｌｖ０（０−２５５）及びＬｖ６０（０−２５５）を確定する。
【００５３】
次に、メイン画素領域Ｍとサブ画素領域Ｓの面積比ａ：ｂ＝２：１によって、実質輝度Ｌｖ0とＬｖ６０を、ＬｖＭ０、ＬｖＳ０、ＬｖＭ６０とＬｖＳ０に、ＬｖＭ０、ＬｖＳ０、ＬｖＭ６０とＬｖＳ０に分け、以下の関係式を満たすものとする。
【００５４】
【数７】
2017530392.tif 000009
である。
【００５５】
メイン画素領域Ｍの正視角０°と斜視角６０°における各グレースケールＧ（０−２５５）の実質輝度ＬｖＭ０（０−２５５）及びＬｖＭ６０（０−２５５）を取得する。サブ画素領域Ｓの正視角０°と斜視角６０°における各グレースケールＧ（０−２５５）の実質輝度ＬｖＭ０（０−２５５）及びＬｖＭ６０（０−２５５）を取得し、メイン画素領域Ｍとサブ画素領域ＳにおけるグレースケールＧと実質輝度の対応関係を構築する。
【００５６】
さらに、最高グレースケールである２５５グレースケールの実質輝度Ｌｖ０（２５５）及びＬｖ６０（２５５）、公式gamma（γ）＝２．２及び
【００５７】
【数８】
2017530392.tif 000010
に基づいて、前記液晶パネルの正視角度０°と斜視角度６０°における各グレースケールＧ（０−２５５）の理論輝度ＬｖG０（０−２５５）及びＬｖG６０（０−２５５）を算出し、グレースケールＧと理論輝度の対応関係を構築する。
【００５８】
さらに、画素単位のうちの一つのグレースケールＧｘ（Ｇｘは０−２５５のうちのどれか一つ）に関し、仮にメイン画素領域Ｍとサブ画素領域ＳのグレースケールをそれぞれＧｍｘとＧｓｘと入力すると、前記構築したメイン画素領域Ｍとサブ画素領域ＳにおけるグレースケールＧと実質輝度の対応関係に基づいて、グレースケールＧｍｘとＧｓｘに対応する実質輝度ＬｖＭｘ０、ＬｖＭｘ６０、ＬｖＳｘ０、ＬｖＳｘ６０を取得することができ、前記構築したグレースケールＧと理論輝度の対応関係に基づいて、グレースケールＧｘに対応する理論輝度ＬｖＧｘαとＬｖＧｘβを取得することができる。以下の関係式を計算する。
【００５９】
【数９】
2017530392.tif 000011
である。
【００６０】
ＧｍｘとＧｓｘの取得値の組み合わせの試行を繰り返すことによって、ＧｍｘとＧｓｘの取得値の組み合わせは、式中のｙが最小値を取得すると、そのグレースケールＧｍｘとＧｓｘは、画素単位がグレースケールＧｘにおいてメイン画素領域Ｍとサブ画素領域Ｓにそれぞれ入力されたグレースケールに設定されるようにすることができる。
【００６１】
最後に、画素単位の各グレースケールＧ（０−２５５）に関し、先ほどの手順を繰り返すと、前記液晶パネルの全てのグレースケール（０−２５５）においてメイン画素領域Ｍとサブ画素領域Ｓに入力されたグレースケールを取得することができる。
【００６２】
本考案の実施例において、メイン画素領域Ｍとサブ画素領域Ｓのグレースケールを調整すると、液晶パネルの正視角０°と斜視角６０°におけるgamma曲線は、図５のようになる。メイン画素領域Ｍとサブ画素領域Ｓのグレースケールを設定することによって、メイン画素領域Ｍとサブ画素領域Ｓの正視角と斜視角において、取得されたgamma曲線は、gamma(γ)＝２．２に近づき、色ずれの問題を少なくすることができると同時に好ましい表示効果を得ることができ、正視角の表示効果に明らかな変化がない限り、広い視野角における光漏れや色ずれの問題を改善することができる。
【００６３】
以上の手順で設定した後の、メイン画素領域Ｍのグレースケールと輝度の関係を示すＧｍ−Ｌｖ曲線、及びサブ画素領域Ｓのグレースケールと輝度の関係を示すＧｓ−Ｌｖ曲線図を図６に示す。図６が示す関係曲線図において、１５７グレースケール付近でグレースケール反転が生じているとともに、曲線上に特異な離散データ点が存在するが、これが液晶ディスプレイの表示品質に影響を与える。この問題を改善するため、以下の方法を採用して関係曲線図にスムージング処理を行う。
【００６４】
（１）回帰スムージング法（ｌｏｃａｌｌｙ  ｗｅｉｇｈｔｅｄ  ｓｃａｔｔｅｒ  ｐｌｏｔ  ｓｍｏｏｔｈｉｎｇ、ＬＯＷＥＳＳまたはＬＯＥＳＳ）を採用してスムージング処理を行う。ＬＯＷＥＳＳ法は、移動平均法に似ており、指定された範囲の中で、全てその範囲の近くで重み付けを行う回帰によって各データ点が取得され、回帰方程式は線方程式または二次方程式を用いることができる。指定された範囲内で、スムージングしようとするデータ点の両側のスムージングされたデータ点が等しければ、対称ＬＯＷＥＳＳといい、両側のデータ点が等しくなければ、非対称ＬＯＷＥＳＳと言う。一般的に、ＬＯＷＥＳＳは以下の手順からなる。
【００６５】
（ａ１）指定された範囲内の各データ点の最初の重みを計算する。重み関数は、一般に数値間のユークリッド距離比の三次関数を表す。
【００６６】
（ｂ１）最初の重みによって回帰推定し、推定式の残差定義の落ち着いた重み関数によって、新たな重みを計算する。
【００６７】
（ｃ１）新たな重みを使って（ｂ１）の手順を繰り返して重み関数を修正し、Ｎ回目の時に重みが収斂すると、多項式と重みに基づいて任意の点のスムース値を取得することができる。
【００６８】
ＬＯＷＥＳＳ法によってデータをスムージングしたキーパラメータは、範囲の広さの選択において、範囲が広すぎてスムース点がカバーされた過去のデータが多すぎると、最新の値の情報がスムース値に与える影響が少なくなり、反対に、範囲が狭すぎると、"スムージング"後のデータは平滑ではなくなる。
【００６９】
図７は、本実施例における、ＬＯＷＥＳＳ法により処理した後のグレースケールと輝度の関係曲線図である。処理後の関係曲線は平滑で、最初の計算時に生じた誤差が修正され、液晶ディスプレイの表示品質が向上される。
【００７０】
（２）べき関数を採用して処理する。グレースケール（例えば本実施例における１５７グレースケール）を反転してから、曲線をフィッティングする。そのうち、本実施例で採用したべき関数の表現式は、ｆ＝ｍ＊ｘ＾ｎ＋ｋである。
【００７１】
図８と図９は、べき関数をフィッティングする過程を示した図である。そのうち図８は、サブ画素領域Ｓのグレースケールと輝度の関係を示したＧｓ−Ｌｖ曲線にフィッティングした図であり、図における横座標は、反転グレースケールから始まるグレースケール値を表し、縦座標は、サブ画素領域Ｓに対応するグレースケールを表し、曲線ｐｏｗｅｒ１はフィッティングによって得られた曲線である。図９は、メイン画素領域Ｍのグレースケールと輝度の関係を示すＧｍ−Ｌｖ曲線にフィッティングした図であり、図における横座標は、反転グレースケールから始まるグレースケール値を表し、縦座標は、メイン画素領域Ｍに対応するグレースケールを表し、曲線ｐｏｗｅｒ２はフィッティングによって得られた曲線である。
【００７２】
本実施例において、べき関数によってフィッティングした後のグレースケールと輝度の関係は図１０に示す通りであり、メイン画素領域ＭのＧｍ−Ｌｖ曲線とサブ画素領域ＳのＧｓ−Ｌｖ曲線からなる。フィッティング後の関係曲線は平滑で、液晶ディスプレイの表示品質を向上させることができるとともにべき関数によってフィッティングする方法は簡単で、速く、正確である。
【００７３】
要約すると、本発明の実施例が提供する液晶ディスプレイは、各画素単位を面積が一様ではないメイン画素領域とサブ画素領域に分け、メイン画素領域とサブ画素領域に異なるデータ信号（異なるグレースケール値）を入力することによって、異なる表示輝度と斜視輝度が得られ、横または斜めに見た際に起こる色ずれの問題を少なくすることができる。そのうち、本考案の実施例が提供するグレースケール値の設定方法に基づいて、メイン画素領域とサブ画素領域のグレースケールを設定することによって、メイン画素領域とサブ画素領域が正視角と斜視角において取得した曲線はどれも近くなり、色ずれの問題を少なくすることができると同時に好ましい表示効果を得ることができる。
【００７４】
当然のことながら、本発明の保護範囲は、上述の具体的な実施方式に限定されず、本領域の技術者は、本発明の精神と範囲を逸脱しない範囲内で、本発明を変更または変形することができる。このように、本発明のこれらの修正や変形は本発明の特許請求範囲及び同等の技術の範囲内に属し、本発明はこれらの変更や変化を含むものとする。  
【符号の説明】
【００７５】
１    バックライトモジュール
２    液晶パネル
Ｄｎ  データライン
Ｇｎ  ゲートライン
２０  画素単位
Ｍ    メイン画素領域
Ｓ    サブ画素領域
【図１】
2017530392.tif 000018
【図２】
2017530392.tif 000019
【図３】
2017530392.tif 000020
【図４】
2017530392.tif 000021
【図５】
2017530392.tif 000022
【図６】
2017530392.tif 000023
【図７】
2017530392.tif 000024
【図８】
2017530392.tif 000025
【図９】
2017530392.tif 000026
【図１０】
2017530392.tif 000027
【国際調査報告】
2017530392.tif 000028
2017530392.tif 000029
2017530392.tif 000030
2017530392.tif 000031
2017530392.tif 000032
2017530392.tif 000033